(57)【要約】【課題】シングルキャリアシステムのための改良されたチャネル推定。【解決手段】無線通信ネットワークにおいて経路成分を処理するためのシステムおよび方法が提供される。無線通信ネットワークで使用される１組のチャネル経路に関して経路の重要度を判定するための１つまたは複数の経路アナライザを含む通信システムが提供される。かかる解析は、ピークエネルギー量、位相推定値、または信号経路のその他のパラメータなどの特質を判定するためのアナログまたはディジタル信号処理を含むことができる。経路の判定から、１つまたは複数のしきい値コンポーネントが、経路の重要度に一部基づいて通信のためのチャネル経路のサブセットを選択する。【選択図】      図６
2008533932.tif 000002
【特許請求の範囲】
【請求項１】
シングルキャリアシステムのための無線信号成分を処理する方法であって、
複数の通信タップを介して複数の信号経路成分をレーキ受信機で受信することと、
前記通信タップの出力からの前記信号経路成分の信号強度を測定することと、
無線通信を容易にするために、前記信号強度を考慮して前記通信タップのサブセットを自動的に選択することと
を含む方法。
【請求項２】
前記通信タップの前記サブセットを決定するために前記複数の信号経路成分をしきい値処理することをさらに含む請求項１に記載の方法。
【請求項３】
前記通信タップを決定するために、経路の重要度、エネルギー推定値、電力推定値、利得推定値、ＳＮ比（ＳＮＲ）推定値、位相推定値、力率推定値のうちの少なくとも１つを判定することをさらに含む請求項１に記載の方法。
【請求項４】
前記複数の信号経路成分の前記しきい値処理を調整するための制御を決定することをさらに含む請求項３に記載の方法。
【請求項５】
前記複数の信号経路成分の選択を容易にするためにユーザまたはシステムにフィードバックを提供することをさらに含む請求項４に記載の方法。
【請求項６】
無線通信チャネルを動的に制御する方法であって、
レーキ受信機に関連付けられた一群の信号経路の選択に関連する制御変数に関するフィードバックを監視することと、
前記一群の信号経路を決定するためにしきい値を適用することと、
前記しきい値によって前記一群の信号経路を制御することと
を含む方法。
【請求項７】
前記フィードバックは、センサ、またはユーザもしくはシステムによって提供された調整に関連している請求項６に記載の方法。
【請求項８】
前記フィードバックは、ＳＮ比またはドップラー周波数に関連している請求項６に記載の方法。
【請求項９】
レーキ受信機に関連付けられた通信経路に関連する信号成分を処理する手段と、
前記信号成分を測定する手段と、
シングルキャリア無線通信のために使用される前記信号成分から一群の信号の重要度を選択する手段と
を含む無線通信システム。
【請求項１０】
チャネル経路のサブセットを選択するために少なくとも１つのしきい値を試験する手段をさらに含む請求項９に記載のシステム。
【請求項１１】
前記しきい値を動的に調整する手段をさらに含む請求項１０に記載のシステム。
【請求項１２】
前記信号の重要度の選択を容易にするためのフィードバックを検知する手段をさらに含む請求項９に記載のシステム。
【請求項１３】
前記信号成分の１つまたは複数の信号パラメータを測定する手段をさらに含む請求項９に記載のシステム。
【請求項１４】
前記信号パラメータは、ピーク電圧もしくは電流、ピーク電力、ピークエネルギー、ＳＮ比（ＳＮＲ）、平均電力、２乗平均平方根電力、または力率を含む請求項１３に記載のシステム。
【請求項１５】
レーキ受信機に関連付けられた１組のチャネル経路に関して経路の重要度を判定するための少なくとも１つの経路アナライザと、
前記経路の重要度に一部基づいて、シングルキャリア無線通信のために使用される前記チャネル経路のサブセットを選択するための少なくとも１つのしきい値コンポーネントと
を含む通信システム。
【請求項１６】
前記経路アナライザおよび前記しきい値コンポーネントのうちの少なくとも１つは、受信デバイス、または無線信号を送信もしくは受信する処理局と関連付けられる請求項１５に記載のシステム。
【請求項１７】
前記しきい値コンポーネントは、少なくとも１つのしきい値を使用してチャネル経路の前記サブセットを選択するように構成されている請求項１５に記載のシステム。
【請求項１８】
前記しきい値を動的に調整するための制御コンポーネントをさらに含む請求項１７に記載のシステム。
【請求項１９】
前記制御コンポーネントは、前記しきい値を動的に調整するためのシステムまたはユーザフィードバックを監視するように構成されている請求項１８に記載のシステム。
【請求項２０】
前記しきい値を調整するためのユーザインターフェースをさらに含む請求項１９に記載のシステム。
【請求項２１】
前記経路の重要度を処理するための１つまたは複数のタップをさらに含む請求項１９に記載のシステム。
【請求項２２】
前記経路の重要度は、符号分割多元接続（ＣＤＭＡ）符号に関連する符号化された情報を含む請求項２１に記載のシステム。
【請求項２３】
前記タップからの１つまたは複数のパラメータを決定するための切り換えコンポーネントをさらに含む請求項２１に記載のシステム。
【請求項２４】
前記パラメータを決定するための利得推定器をさらに含む請求項２３に記載のシステム。
【請求項２５】
前記パラメータは、ピーク電圧もしくは電流、ピーク電力、ピークエネルギー、ＳＮ比（ＳＮＲ）、平均電力、２乗平均平方根電力、または位相推定値を含む請求項２３に記載のシステム。
【請求項２６】
前記経路アナライザおよび前記しきい値コンポーネントに関連するコンピュータ可読命令を実行するためのプロセッサをさらに含む請求項１５に記載のシステム。
【請求項２７】
無線通信のためのデータ構造をその上に記憶したコンピュータ可読媒体であって、
レーキ受信機に関連する無線通信チャネル上の信号のより大きな集合から信号のサブセットを選択するために使用されるしきい値パラメータを示す少なくとも１つのデータフィールドと、
前記信号のサブセットに関連する情報を記憶するために使用される少なくとも第２のデータフィールドと、
前記信号のサブセットに対する重要度測定データを記憶するための少なくとも第３のデータフィールドと
を含むコンピュータ可読媒体。
【請求項２８】
無線通信のためのデータパケットに関連する信号であって、
レーキ受信機に関連付けられた１組の信号経路に関連するしきい値情報を伝えるための第１のデータパケットと、
前記１組の信号経路に関する測定情報を伝えるための第２のデータパケットと、
無線通信のための信号経路の削減された組を処理するために、前記測定情報を考慮して一群のタップを選択するための第３のデータパケットと
を含む信号。
【請求項２９】
前記１組の信号経路内の情報を符号化するためのデータパケットをさらに含む請求項２８に記載の信号。
【請求項３０】
通信タップの出力からの、レーキ受信機に関連付けられた受信された信号経路成分の信号強度を測定することと、
無線通信を容易にするために前記信号強度を考慮して前記通信タップのサブセットを自動的に選択することと
を含む、シングルキャリアシステムのための無線信号成分を処理するためのコンピュータで実行される命令を実行するマイクロプロセッサ。
【請求項３１】
前記コンピュータで実行される命令が、
前記通信タップの前記サブセットを決定するために前記複数の信号経路成分をしきい値処理すること
をさらに含む請求項３０に記載のマイクロプロセッサ。
【請求項３２】
前記コンピュータで実行される命令が、
前記通信タップを決定するために、経路の重要度、エネルギー推定値、電力推定値、利得推定値、ＳＮ比推定値（ＳＮＲ）、位相推定値、力率推定値のうちの少なくとも１つを判定すること
をさらに含む請求項３０に記載のマイクロプロセッサ。
【請求項３３】
前記コンピュータで実行される命令が、
前記複数の信号経路成分の前記しきい値処理を調整するための制御を決定すること
をさらに含む請求項３０に記載のマイクロプロセッサ。
【請求項３４】
前記コンピュータで実行される命令が、
前記複数の信号経路成分の選択を容易にするためにユーザまたはシステムにフィードバックを提供すること
をさらに含む請求項３０に記載のマイクロプロセッサ。
【請求項３５】
レーキ受信機に関連付けられた１組の信号経路に関連する制御変数に関する信号フィードバックを監視することと、
前記１組の信号経路を決定するためにしきい値を適用することと、
前記しきい値によって前記１組の信号経路を制御することと
を含むコンピュータで実行される命令を実行するマイクロプロセッサ。
【発明の詳細な説明】
【技術分野】
【０００１】
対象技術は概して通信システムおよび方法に関し、より具体的には、通信チャネルにおいて受信される１組の経路に対する重要度（magnitude）および位相解析を実行する（しきい値コンポーネントが自動的に経路のサブセットを選択し、それによってレーキ（ＲＡＫＥ）に基づく推定器（estimator）上の通信性能の改善を促進する）システムおよび方法に関する。
【背景技術】
【０００２】
無線通信システムにおいて、セルラ電話などのリモート端末を有するユーザは、１つまたは複数の基地局との順方向および逆方向リンク上の伝送を介して他のユーザと通信する。順方向リンクとは基地局からリモート端末への伝送を指し、逆方向リンクとはリモート端末から基地局への伝送を指す。一部のシステムでは、例えば、基地局からの総送信電力は、共有された周波数帯域を介してデータが多数のユーザに同時に送信されることができることから概して順方向リンクの総容量を示す。総送信電力の一部は、全てのユーザに対する全集合的送信電力が全利用可能送信電力以下になるようにそれぞれの使用中のユーザに割り当てられることができる。
【０００３】
信号が基地局から受信機に送信されるとき、複数の通信経路から受信機に到達した可能性がある正確で忠実度の高い信号を復元するために様々な種類の信号処理システムが適用され得る。それぞれの経路を処理するための１つのそのようなシステムはレーキ受信機（ＲＡＫＥ受信機）として知られている。用語「ＲＡＫＥ」は頭字語ではなく、その名称は１９５８年における考案者であるＰｒｉｃｅおよびＧｒｅｅｎに由来する。要するに、広帯域信号がマルチパスチャネルを介して受信されるとき、電圧または電流スパイクとしてプロットされ得るまたは測定され得る、信号の経路成分に関連する複数の信号遅延が受信機において現れる。マルチパスの電圧信号または電流信号の繰り返しのプロットに「ハンドル」を付けてやることによって、一般的な庭いじりに使う熊手の絵が作成される。ＲＡＫＥ受信機がその名称を取ったのはこの絵からである。概して、ＲＡＫＥ受信機は、いくつかのベースバンド相関器（base band correlator）を使用して、いくつかの信号のマルチパス成分を同時的な方法で個別に処理する。次に、相関器の出力が、改善された通信の信頼性および性能を実現するために合成される。
【０００４】
多くの応用において、基地局の受信機および移動体の受信機の両方が、通信のためにＲＡＫＥ受信機技術を使用している。ＲＡＫＥ受信機における各相関器は、ＲＡＫＥ受信機のフィンガ（finger）とみなされる。基地局はそのＲＡＫＥ受信機のフィンガの出力を非コヒーレント(non-coherently)に合成し、それによって出力が電力の形で加算される。概して、移動体の受信機はそのＲＡＫＥ受信機のフィンガの出力をコヒーレントに合成し、そこで出力は電圧の形で加算される。１つのシステム例においては、移動体の受信機は概して３つのＲＡＫＥ受信機のフィンガを使用するのに対して、基地局の受信機は機器の製造業者によって４つまたは５つのフィンガを使用する。ＲＡＫＥ受信機のフィンガの出力を合成するために使用される２つの主要な方法がある。１つの方法は各出力を等しく重み付けし、そのために等利得合成と呼ばれる。もう１つの方法は、当該データを使用して、合成された出力のＳＮ比（ＳＮＲ；Signal-to-Noise Ratio）を最大にする重みを推定する。この技術は最大比合成として知られている。
【０００５】
一般的に、シングルキャリアシステム(single carrier system)におけるチャネル推定のためにＲＡＫＥに基づく推定器が使用される。かかるシステムにおいて、ＲＡＫＥ「フィンガ」はチャネルにおける主要な経路に割り当てられる。そのとき、概して各フィンガに関するチャネルの重要度は、パイロットＰＮ系列の適切に遅延されたものとの相関によって計算され、そこでこの系列はチャネルの直交成分を拡散するために使用される１対の修正された最大長のＰＮ（擬似ランダム雑音）系列を指す。平均フィルタが、チャネル推定の精度とドップラー効果に対する耐性（Doppler tolerance）との妥協点を見つけるためにこのチャネル推定値に対して使用されることができ、そこでこのフィルタは、概してＲＡＫＥフィンガにおいて処理されたそれぞれの信号成分の割り当て、割り当て解除、およびトラッキングのためのフィンガ管理アルゴリズムを適用する。
【０００６】
しかし、現在のフィンガ管理アルゴリズムに関連する１つの問題は、概してそれらのアルゴリズムがドップラー周波数を大きく下回るレートで動作することである。したがって、根本的な仮定は、経路の重要度（）がドップラー周波数と共に変わり得る一方、関連する経路の位置はかなり遅く変化することである。例えば、チャネルのコヒーレンス時間（channel coherence time）（ドップラー周波数の逆数）は１波長伝播するのにかかる時間量であり、式ｃ／（ｆｖ）によって与えられ、ここでｃは光速であり、ｆは搬送周波数であり、ｖは移動中の受信機（例えば、自動車で移動しているセル電話）の速度である。しかし、経路の位置（すなわち伝播時間）が１チップ（無線データを送信するときの擬似ランダム系列の遷移時間）だけ変わるのにかかる時間はｃ／（Ｂｖ）で与えられ、ここでＢはシステムの帯域幅（すなわち、チップの継続時間の逆数）である。典型的なシステムに関して、Ｂはｆより数桁小さく、そのため、概して経路の位置は経路の重要度（path magnitude）よりもかなり遅く移動する。
【０００７】
しかし、上記の仮定に関連する問題は、信号経路が概してチップ間隔になっていないことであり、それによって等価的なチップ間隔のチャネル（equivalent chip spaced channel）はシステムの帯域幅に帯域が制限された実際のチャネルになる（すなわち、その等価的なチップ間隔のチャネルは同期パルスを通過する実際のチャネルになる）。したがって、等価的なチャネル（equivalent channel）は実際のチャネルの経路数よりもかなり多いタップを有する。従来の信号処理の原理によれば、タップは、ＲＡＫＥ受信機において使用されるような周波数選択的な通信チャネルにおける受信信号の信号伝播を表す遅延線モデルのコンポーネントである。
【０００８】
概して、上述のフィンガ管理アルゴリズムは、１組の経路（通常、４〜５個）から最も重要な経路を判定しようとする。しかし、概して受信機におけるチップ間隔のタップはチャネルの経路と直接対応せず、さらにドップラー周波数と同等の速さで変化し得る。かかるフィンガ管理アルゴリズムは、上述の仮定を考慮して、そのような速度で位置を変える経路を追跡するように設計されないため、重大な劣化が生じる。これらの劣化は、この仮定の結果であるファットパス（fat path）およびフィンガの統合の問題を含む、チャネル推定スキームにおけるよく知られた問題を含む。
【発明の開示】
【０００９】
［概要］
以下は、実施形態のいくつかの態様の基本的な理解を提供するために各種実施形態の簡素化された概要を提供する。この概要は広範な概説ではない。この概要は、重要な／決定的な要素を特定するように、または本明細書に開示された実施形態の範囲を明示するように意図されるものではない。この概要の唯一の目的は、後ほど与えられるより詳細な説明に対する前置きとして、いくつかの概念を簡素化された形態で示すことである。
【００１０】
無線デバイス間で、無線信号をブロードキャストもしくは受信する局間で、および／またはそれらの組合せで無線通信を容易にするシステムおよび方法が提供される。一実施形態において、時間的に間隔があけられている可能性がある信号経路の成分が、例えばセル電話または基地局などの送信先において受信される。概して、それぞれの経路成分が様々な信号の重要度を有して受信機に到達する。１つの経路アナライザ（または複数の経路アナライザ）が様々な信号処理技術を用いて信号の重要度を解析および判定する。例えば、かかる解析は、通信チャネルのそれぞれの経路成分に対して信号強度、信号電力、平均電力、ＳＮ比（ＳＮＲ）などを判定することを含んでよい。
【００１１】
通信性能を最適化するために、単一のまたは複数のしきい値を考慮して通信のための信号経路成分（signal path component）のサブセットを選択するためにしきい値コンポーネントが使用される（例えば、しきい値との自動的な比較によって最も強い信号経路のサブセットを判定する）。最適化は、受信された情報の精度とドップラー効果に対する耐性との妥協点を見つけることを含む。このようにして、アルゴリズムの性能は、通信の受信機の移動速度が増加されるに従って通信の精度の妥協点を見つけるように動的に（dynamically）または手動で調整されることができる。このことは、所定のチップ間隔のモデルに依存し、したがって経路成分を速度条件の変化に従って適切にトラッキングしない従来のＲＡＫＥに基づく推定器に関連する問題を緩和する。概して、真のチャネルのタップを削除する可能性と、雑音のタップを取り除く利益との妥協点を見つけるためにしきい値の設定が使用され、そこでフィルタ長がドップラー性能と静的チャネル上の精度との妥協点を見つける。
【００１２】
概して、処理コンポーネントは、従来のＲＡＫＥに基づく推定器によって実行されるようにチャネル内の重要な経路にフィンガを割り当てるように試みない。むしろ、経路の重要度は所定の範囲内の（チップの倍数の形の）遅延毎に判定される。範囲は固定されていてもよく、予測されるチャネルの遅延拡散に応じて変わってもよい。そのとき、「しきい値処理」アルゴリズムが、これらの経路のいずれが重要か（例えば、どの複数の経路または単一の経路が最も高い平均電力を有するか）を判定することができる。このアルゴリズムは、決められた数の最も強い経路を保持すること、または特定のエネルギーしきい値を超える経路を保持すること、またはその他の検討に基づくことができる。しかし、しきい値処理の判定は、通信の精度とより高いドップラー効果に対する耐性との妥協点を見つけるために望みうるだけ高速に実行されることができることが認められる。さらに、チャネル推定値のあらゆるインスタンス（instance）に対して独立したしきい値処理の判定がなされることができる。この特徴は、経路遅延を処理するためのほぼ全てのチャネルタップがほぼ全ての時刻に利用可能である（このことは従来のシステムを用いた場合のように特定の数の所定のフィンガに限定されることと対照的である）ために可能にされる。
【００１３】
一実施形態において、シングルキャリアシステムのための無線信号成分を処理する方法が提供される。方法は、複数の通信タップ（communications tap）を介して複数の信号経路成分（signal path component）を受信することと、通信タップの出力からの信号経路成分の信号強度を測定することとを含む。方法は、信号強度を考慮して通信タップのサブセットを自動的に選択して無線通信を容易にする。別の実施形態において、通信システムが提供される。システムは、１組のチャネル経路に関する経路の重要度を判定するための少なくとも１つの経路アナライザを含む。しきい値コンポーネントは経路の重要度に一部基づいてチャネル経路のサブセットを選択し、そこでチャネル経路のサブセットはシングルキャリア無線通信に使用される。
【００１４】
前述のまたは関連する目的の達成のために、特定の説明的な実施形態が、本明細書において以下の説明および添付の図面に関連して説明される。これらの態様は、実施形態が実施され得る種々の方法を示し、それらの方法の全てがカバーされるように意図される。
【００１５】
［詳細な記述］
無線通信ネットワークにおいて経路成分を処理するためのシステムおよび方法が提供される。一実施形態において、通信システムが提供される。システムは、無線通信において使用される１組のチャネル経路に関して、様々な遅延を有する経路の重要度を決定するための１つまたは複数の経路アナライザを含む。かかる解析は、ピークエネルギー量、位相解析、または信号経路のその他のパラメータなどの特質を判定するためのアナログまたはディジタル信号処理を含むことができる。経路判定から、１つまたは複数のしきい値コンポーネントが、経路の重要度に一部基づいて通信のためのチャネル経路のサブセットを選択する。その他の態様は、様々な動作条件での性能を最適化するための動的なしきい値調整を含む。この調整を制御またはチューニングするために、デバイスまたは局に応じてユーザインターフェースコンポーネントが提供されてもよい。
【００１６】
本出願において使用される用語「コンポーネント」、「アナライザ」、「システム」、「タップ」などはコンピュータに関連するエンティティ、ハードウェア、ハードウェアおよびソフトウェアの組合せ、ソフトウェア、または実行中のソフトウェアのいずれかを指すように意図される。例えば、コンポーネントは、プロセッサ上で実行されるプロセス、プロセッサ、オブジェクト、実行ファイル、実行スレッド、プログラム、および／またはコンピュータであってよいがこれらに限定されない。例として、通信デバイス上で実行されるアプリケーション、およびそのデバイスの両方がコンポーネントであってよい。１つまたは複数のコンポーネントは実行プロセスおよび／またはスレッド内にあってよく、コンポーネントは１つのコンピュータ上に配置されてよく、および／または２つ以上のコンピュータの間で分散されてもよい。また、これらのコンポーネントは、様々なデータ構造をその上に記憶した様々なコンピュータ可読媒体から実行されることができる。コンポーネントは、１つまたは複数のデータパケット（例えば、ローカルシステム、分散システム内で、および／またはインターネットなどの有線もしくは無線ネットワークをまたいで別のコンポーネントと交信する１つのコンポーネントからのデータ）を有する信号によるなどして、ローカルおよび／またはリモートプロセスを介して通信することができる。
【００１７】
図１は、経路重要度アナライザ１２０およびしきい値コンポーネント１３０に従ってチャネル経路成分１１０のチャネルのサブセットを選択するためのシステムを示す。時間的に間隔があけられている経路成分１１０が、例えばセル電話、基地局、コンピュータ、その他のデバイスなどの送信先において受信される。概して、それぞれのチャネル経路成分１１０は無線通信チャネル１４０を介して送信され、様々な信号の重要度を有して受信機１５０到達する。１つの経路重要度アナライザ１２０（または複数の経路重要度アナライザ）は、種々の信号処理技術を使用して、図２および３に関して以下でより詳細に説明される信号の重要度を解析し判定する。例えば、かかる解析は、通信チャネル１４０内のそれぞれのチャネル経路成分１１０に対して信号強度、信号電力、平均電力、信号-対-雑音比（ＳＮＲ；Signal-to Noise-Ratio）、電圧または電流ピーク、位相角などを判定することを含んでよい。
【００１８】
しきい値コンポーネント１２０が、通信性能を最適化するために単一のまたは複数のしきい値を考慮して通信のためのチャネル経路成分１１０のサブセット１６０を選択するために使用される。例えば、これは、自動的なしきい値との比較によって最も強いチャネル経路のサブセットを動的に判定することを含んでよい。最適化は、通信チャネル１４０を介して受信された情報の精度と、ドップラー効果に対する耐性、およびしきい値コンポーネント１２０内のしきい値の設定との妥協点を見つける手動または自動の調整を実行することを含んでよい。真のチャネルのタップを削除する可能性と、雑音のタップを取り除く利益との妥協点を見つけるためにしきい値の設定が使用されることができ、そこでフィルタ長がドップラー性能と静的チャネル上の精度との妥協点を見つける。このように、受信機の処理性能は、通信の受信機の移動速度が増加されるに従って通信の精度の妥協点を見つけるように動的にまたは手動で調整されることができる。性能調整１７０は、センサおよび制御ループプロシージャから自動で、ならびに／または図８に関して以下で詳細に説明されるユーザインターフェースコンポーネントから手動で実行されることができる。
【００１９】
概して、適合された処理コンポーネントは、従来のＲＡＫＥに基づく推定器によって実行されるようにチャネル内の重要な経路にフィンガを割り当てるように試みない。むしろ、チャネル経路の重要度１１０は、所定の範囲内の（例えば、チップの倍数の形の）遅延毎に判定される（例えば、タップ８から１６に関する全ての経路の重要度を判定する）。範囲は固定されていてもよく、予測されるチャネル１４０の遅延拡散に応じて変わってもよい。次に、しきい値処理コンポーネント１３０の「しきい値処理」アルゴリズムが、これらの経路のいずれが重要か（例えば、どの複数の経路または単一の経路がしきい値電力の設定を超える最も高い電力を有するか）を判定することができる。このアルゴリズムは、決められた数の最も強い経路を保持すること、または特定のエネルギーしきい値を超える経路を保持すること、またはその他の検討に基づくことができる。しかし、しきい値処理の判定は、通信の精度とより高いドップラー効果に対する耐性との妥協点を見つけるために望みうるだけ高速になされることができ、そこで性能調整１７０がこの妥協点の発見を容易にするために使用されることができることが認められる。さらに、チャネル推定値のあらゆるインスタンスに対して独立したしきい値処理の判定が下されることができる。この特徴は、従来のＲＡＫＥ推定システムを用いた場合のように特定の数の所定のフィンガに限定されずに、経路遅延を処理するためのチャネルタップの全てまたはある範囲がほぼ全ての時刻に利用可能であるために提供されることができる。
【００２０】
図２は、信号経路成分を解析するための１つまたは複数の経路測定コンポーネントを有する受信機２００を示す。２１０において、通信チャネルに関連する信号経路が受信機２２０によって処理される。信号経路２１０は、送信機（例えば、図示せず）の変調コンポーネントを用いて時間的に拡散されることができ、受信機において、送信された情報を判定するために合成されることができる。かかる変調は、符号分割多元接続（ＣＤＭＡ）符号またはその他の符号化形式などの符号化された情報を含むことができる。また、信号経路の拡散は、２１０においてマルチパス信号成分を発生させ得るフェージングのために行われることができる。信号経路の多くの伝播特性は、周波数が異なると変わる。例えば、移動通信局がセルを通り抜けて移動するに従って、マルチパス信号は互いを急激に足し合わせ、差し引く。
【００２１】
種々のタップ２３０が、信号経路２１０の処理のために提供されることができる。かかるタップ２３０は伝送路における遅延としてモデル化されることができ、そこで信号経路成分２１０は異なる時点でそれぞれのタップによって受信されることができ、続いてそれに含まれる情報のために復号化されることができる合成信号を形成するように合成されることができる。タップ２３０の出力おいて、１つまたは複数の信号重要度コンポーネント２４０が、信号経路２１０の様々な特質を測定するために提供されることができる。かかる測定は、電圧測定、電流測定、および／または電圧と電流の間の位相角の関係を含むことができる。ピーク電圧または電流、ピーク電力、ＳＮＲ、平均電力、ＲＭＳ電力、力率、位相推定値などのパラメータの判定または測定を容易にするためにアナログおよび／またはディジタルサンプリングが行われることができる。信号経路成分２１０のこれらの測定値またはサンプルから、信号経路２１０のサブセットが、図４および５に関して以下で詳細に説明されるしきい値コンポーネントによって選択されることができる。例えば、信号経路のサブセットは、しきい値コンポーネントによって処理される値パラメータとして定義されるある所定のジュール値よりも大きな決められたエネルギー量を有するそれらの信号として選択される可能性がある。信号測定コンポーネント２４０は各タップ２３０またはその一部に対して提供され得ることを理解されたい。例えば、単一の測定コンポーネントが測定を実行するために使用されることができ、そこでタップからのそれぞれの出力は、例えばアナログまたはディジタル多重化装置などのスイッチングエレメントを用いて測定コンポーネント対して切り換えられる。
【００２２】
図３は、経路の重要度を判定するための代替手段としてチャネル利得推定器３００を示す。利得推定値は、１つまたは複数のパイロットシンボル３１０に応じて利得推定器３００によって決定されることができる。それぞれの経路に対する利得が決定されたとき、しきい値コンポーネント３２０は、図４および５に関して以下で詳細に説明されるように経路を処理してチャネル経路のサブセットを選択することができる。より高い品質のチャネル推定値を得るために、複数のシンボル３１０に対するチャネル応答推定値に対して時間領域フィルタリングが任意に実行されることができる。時間領域フィルタリングは省略されてもよく、または必要に応じて周波数応答推定値に対して実行されてもよい。
【００２３】
図４は、図２に関して上述された複数の解析された信号経路の重要度４１０からチャネルのサブセットを選択するためのしきい値コンポーネント４００を示す。しきい値コンポーネント３００は、それぞれの信号の重要度がしきい値を超えているか否か、またはしきい値未満であるか否かを判定する比較器機能４２０を含む。これは４３０で示され、そこで１つのしきい値（または複数のしきい値）が比較器機能４２０によって入力される。しきい値４３０は、比較器機能４２０の性質に応じて性質的にアナログまたはディジタルであってよい。例えば、比較器が電圧に対してサンプリングを行うアナログ比較器である場合、しきい値４３０は、信号がしきい値を超えているか否か、またはしきい値未満であるか否かを判定するために使用される対応する電圧であってよい。同様に、比較器機能４２０がディジタルコンポーネントまたはアルゴリズムである場合、しきい値は比較のためのしきい値を示す１つのディジタルコードまたは複数のディジタルコードであってよい（例えば、所与のディジタル値未満の全てのサンプリングされた信号経路は候補として拒絶される）。経路選択器４４０（例えば、ディジタル／アナログスイッチまたはプロセス）は、受信機回路のタップまたはその他の領域から経路重要度出力４１０を受信し、そこで経路重要度は比較器機能４２０によってまとめてまたは個別に比較される。４５０において、しきい値４３０を超えるそれらの信号経路が選択されることができる。代替として、しきい値４３０未満のそれらの経路が拒絶されてもよい。
【００２４】
図５は、チャネルのサブセットを選択するためのしきい値処理のオプション５００を示す。しきい値処理アルゴリズム５１０は、無線チャネルをモデル化するタップの完全な組から経路の重要度のサブセットを選択する。このことは、５２０および５３０それぞれにおける単一のまたは複数のしきい値の使用を含んでよい。しきい値は、所与のエレメント／タップが十分なエネルギーを有するかどうか、および保持されるべきかそれともゼロにされるべきかを判定するために使用される。このプロセスは「しきい値処理」と呼ばれる。しきい値は、様々な要素に基づいて、および様々な方法で計算されることができる。しきい値は、相対的な値（すなわち、測定されたチャネル応答に依存する）、または絶対的な値（すなわち、測定されたチャネル推定値に依存しない）であってよい。相対的なしきい値は、チャネルのインパルス応答推定値の（例えば、合計または平均）エネルギーに基づいて計算されることができる。相対的なしきい値の使用は、（１）しきい値処理が受信されたエネルギーの変化に依存しないこと、および（２）存在はするが低い信号エネルギーを持つエレメント／タップがゼロにされないことを保証する。絶対的なしきい値は、受信機における雑音分散／ノイズフロア（ｎｏｉｓｅ  ｆｌｏｏｒ）、受信されたパイロットシンボルに対して予測された最も低いエネルギーなどに基づいて計算されることができる。絶対的なしきい値の使用は、信号経路エレメントを、保持されるために強制的にある最小値に合致させる。しきい値は、相対的なおよび絶対的なしきい値に対して使用される要素の組合せに基づいて計算されることもできる。例えば、しきい値は、チャネル推定値のエネルギーに基づいて計算されることができ、さらに所定の最小値以上に制限されることができる。
【００２５】
１つのしきい値処理スキームでは、しきい値処理は、単一のしきい値５２０を使用する全てのタップエレメントに対して実行される。さらに別のしきい値処理スキームでは、しきい値処理は、５３０において複数のしきい値を使用する全てのＰ個のエレメントに対して実行される。例えば、第１のしきい値が初めのＬ個のエレメントに対して使用されることができ、第２のしきい値が最後のＰ−Ｌ個のエレメントに対して使用されることができる。第２のしきい値は第１のしきい値未満に設定されることができる。さらに別のしきい値処理スキームでは、しきい値処理は、最後のＰ−Ｌ個のエレメントに対してのみ行われ、最初のＬ個のエレメントに対しては行われない。しきい値は、「まばらな」無線チャネルによく適している。まばらな無線チャネルは、チャネルエネルギーの多くを少数のタップに集中させる。各タップは、異なる時間遅延を有する分解可能な信号経路（ｒｅｓｏｌｖａｂｌｅ  ｓｉｇｎａｌ  ｐａｔｈ）に対応する。まばらなチャネルは、たとえそれらの信号経路の間の遅延拡散（すなわち、時間差）が大きい可能性があるとしても、少数の信号経路を含む。微弱なまたは存在しない信号経路に対応するタップは、必要に応じてゼロにされることができる。
【００２６】
図６および７は、無線信号処理のためのプロセス６００および７００を示す。説明の簡素化の目的で、方法論が一連のまたはいくつかの動作として示され、説明されるが、いくつかの動作は異なる順序で行われることができる、および／または本明細書で示され、説明される動作からのその他の動作と同時に行われることができるため、本明細書で説明されるプロセスはその動作順序によって限定されないことを理解および認識されたい。例えば、当業者は、方法論が代替的に状態図におけるような一連の相互に関連した状態またはイベントとして表されることができることを理解し、認識するであろう。さらに、示された動作の全てが、本発明に開示された対象の方法論に従って方法論を実行するために必要とされるわけではない可能性がある。
【００２７】
図６は、時間的に拡散された複数のまたは決められた範囲の信号経路から通信チャネルのサブセットを選択するための経路解析およびしきい値処理プロセス６００を示す流れ図である。６１０に進むと、通信からの信号経路がさらなる処理のために受信機において入力される。受信機は、セル電話、パーソナルコンピュータ、ハンドヘルドコンピュータなどの実質的に任意の種類のデバイスと関連付けられてよく、または基地局などの、伝送プロセスにおけるその他の地点にあってよいことを理解されたい。６２０において、信号経路を受信する１つまたは複数のタップ出力が経路の重要度について測定される。上述のように、これは、エネルギー推定値、電力推定値、利得推定値、ＳＮＲ推定値、力率推定値、位相推定値などを含んでよい。
【００２８】
６３０において、受信された信号経路が所定のしきい値を超えている（または所定のしきい値未満である）か否かに関する判定がなされる。信号経路がしきい値未満である場合、信号経路を処理するための信号経路エレメントは無視され、プロセスは別の信号経路成分を処理するために６２０に戻る。６３０において信号経路がしきい値を超えている場合、プロセスは６４０に進み、通信チャネルの復元にそれぞれの信号経路を使用する。６５０において、全ての信号経路エレメントが処理されたか否かに関する判定がなされる。処理されていない場合、プロセスは６２０に戻り、その他の信号経路の重要度を測定する。６５０において通信チャネルに関する全ての信号経路が判定された場合、プロセスは６１０に戻って後続の通信チャネル処理を実行する。
【００２９】
図７は、チャネルのサブセットを選択するための動的な選択プロセス７００を示す流れ図である。７１０に進むと、ユーザおよび／またはシステムからのフィードバックが監視される。フィードバックは、例えばＳＮ比（ＳＮＲ）およびドップラー周波数などのパラメータを監視するために使用されることができる。例えば、しきい値処理のパラメータを変更する１つの方法は、観測されたＳＮＲ（パイロットタップから測定される）と、そのドップラーに対してシステムが設計される最大ドップラーとの関数としてあってよい。別の例は、観測されたドップラーを大まかに判定する（例えば、典型的にはチャネル推定に基づく）アルゴリズムを含む。また、フィードバックは、動作パラメータの変化に対するユーザインターフェースの調整の監視、または移動通信デバイスの速度の変化を判定するための速度センサもしくは加速度計などのセンサの監視を含んでもよい。７２０において、７１０からのフィードバックが、上述の種々の原理およびコンポーネントに従って処理される。これは、信号の重要度の処理およびサブセットの選択を実行するためのタップ、フィルタ、ディジタル信号プロセッサ、しきい値アルゴリズム、アナログコンポーネント、測定コンポーネント、比較器などの使用を含むことができる。７３０において、選択される経路サブセットの量を制御する動的なしきい値変更を実行するか否かに関する判定がなされる。例えば、速度の変化が検出される場合、しきい値変数が、チャネルの精度とドップラー効果に対する耐性との妥協点を見つけるために閉ループ制御プロセスの一部として自動的に引き上げられる、または引き下げられることができる。７３０においてしきい値が変化しない場合、プロセスはシステムおよび／またはユーザの動作を監視するために７１０に戻る。７３０においてしきい値が変化する場合、７４０において、検出された変化に基づいて新しい経路の重要度が判定される。例えば、ユーザがユーザインターフェース（例えば、セル電話のメニュー）上で調整を変更する場合、それに応じてしきい値がユーザから受信されたコマンドに基づいて調整されることができる。
【００３０】
図８は、通信性能を調整および制御するためのユーザインターフェース例８００を示す。ユーザインターフェース８００は、セル電話、携帯情報端末（ＰＤＡ）、ラップトップもしくはパーソナルコンピュータ、および／または無線通信を実行する実質的に任意のデバイスなどのデバイス８２０に関連付けられることができる。また、ユーザインターフェース８００は、基地局８３０またはその他の通信を容易にする機器の一部などの、無線通信プロセスの一部である機器に関連付けられることができる。インターフェース８００は本質的にグラフィカルであることができるか、またはデバイスを用いてキー入力もしくはコーディングされる性能調整制御８４０を提供することができる。例えば、制御８４０は、ボタンもしくはスライダなどのグラフィカルなユーザインターフェースコントロールによって操作されることができるか、または調整を実行するためのそれぞれのメニューオプションを有するセル電話のキーパッドなどのその他の手段を用いて操作されることができる。ユーザインターフェースは、より精巧なフィードバック表示オプション８５０、または多くのセル電話で利用可能な液晶型ディスプレイなどのより単純な形式のディスプレイを含むことができる。
【００３１】
図９は、信号処理コンポーネントを使用するためのシステム例９００を示す。システム９００は、上述の経路の重要度およびしきい値コンポーネントを使用することができる様々なコンポーネント例の一部を示す。これらは、アンテナ９３０を介して集合的に通信するパーソナルコンピュータ９１０、モデム９２０を含むことができる。通信は、私設または公衆ネットワークを介して１つまたは複数のユーザサイト９５０（またはデバイス）と通信する基地局９４０を通って進むことができる。また、１つまたは複数のホストコンピュータ９６０が、システム９００内のその他のそれぞれのコンポーネントとの通信を容易にするために使用されることができる。システム９００は、通信を容易にするための様々な規格およびプロトコルを使用することができる。
【００３２】
図１０は、多数のユーザおよび／または通信システムをサポートする例示的な無線通信ネットワーク１０００のブロック図である。例として、例示的実施形態は、本明細書においては符号分割多元接続セルラ通信システムとの関連で説明される。しかし、実施形態は、パーソナル通信システム（personal communication systems）（ＰＣＳ）、無線ローカルループ、構内交換設備（ＰＢＸ）、またはその他の知られているシステムなどのその他の種類の通信システムに適用可能であることを理解されたい。さらに、ＯＦＤＭＡ、ＴＤＭＡ、およびＦＤＭＡ、ならびにその他のスペクトル拡散方式などのその他のよく知られている多元接続スキームを利用するシステムが、ここに開示された方法および装置を使用することができる。
【００３３】
概して、無線通信ネットワーク１０００は、複数の加入者ユニット１００２ａ〜１００２ｄと、複数の基地局１００４ａ〜１００４ｃと、基地局コントローラ（ＢＳＣ）１００６（無線ネットワークコントローラまたはパケット制御機能（packet control function）とも呼ばれる）と、移動局コントローラ（mobile station controller）（ＭＳＣ）またはスイッチ１００８と、パケットデータサービングノード（packet data serving node）（ＰＤＳＮ）またはインターネットワーキング機能（internet-working function）（ＩＷＦ）１０１０と、公衆交換電話網（ＰＳＴＮ）１０１２（概して電話会社）と、パケットネットワーク１０１４（概してインターネット）とを含む。簡単にするために、４つの加入者ユニット１００２ａ〜１００２ｄと、３つの基地局１００４ａ〜１００４ｃと、１つのＢＳＣ１００６と、１つのＭＳＣ１００８と、１つのＰＤＳＮ１０１０とが、ＰＳＴＮ１０１２およびＩＰネットワーク１０１４と共に示される。任意の数の加入者ユニット１００２、基地局１００４、ＢＳＣ１００６、ＭＳＣ１００８、およびＰＤＳＮ１０１０が無線通信ネットワーク１０００内に存在し得ることが当業者によって理解されるであろう。
【００３４】
無線通信ネットワーク１０００は、各セルが対応する基地局１００４によってサービスを提供されるようにして多数のセルに通信を提供する。種々の加入者ユニット１００２がシステム中に分散される。そのチャネルを介して情報信号が加入者ユニット１００２から基地局１００４へ移動する無線通信チャネルは逆方向リンクとして知られている。そのチャネルを介して情報信号が基地局１００４から加入者ユニット１００２へ移動する無線通信チャネルは順方向リンクとして知られている。各加入者ユニット１００２は、加入者ユニットがソフトハンドオフ中か否かに応じて、任意の特定の瞬間に順方向リンクおよび逆方向リンク上で１つまたは複数の基地局１００４と通信することができる。
【００３５】
図１０に示されるように、基地局１００４ａは加入者ユニット１００２ａおよび１００２ｂと通信し、基地局１００４ｂは加入者ユニット１００２ｃと通信し、基地局１００４ｃは加入者ユニット１００２ｃおよび１００２ｄと通信する。加入者ユニット１００２ｃはソフトハンドオフ中であり、基地局１００４ｂおよび１００４ｃと同時に通信する。無線通信ネットワーク１０００において、ＢＳＣ１００６は基地局１００４と結合し、さらにＰＳＴＮ１０１２と結合することができる。概して、ＰＳＴＮ１０１２との結合はＭＳＣ１００８を用いて達成される。ＢＳＣ１００６は、ＢＳＣ１００６に結合された基地局に対する調整および制御を提供する。さらにＢＳＣ１００６は、基地局１００４を介した、加入者ユニット１００２間、ならびに加入者ユニット１００２と、ＰＳＴＮ（例えば、従来の電話）１０１２におよびパケットネットワーク１０１４に結合されたユーザとの間の電話通話のルーティングを制御する。
【００３６】
一実施形態において、無線通信ネットワーク１０００はパケットデータサービスネットワークである。別の実施形態において、ＢＳＣ１００６はＰＤＳＮ１０１０を用いてパケットネットワークに結合される。インターネットプロトコル（ＩＰ）ネットワークは、ＰＤＳＮ１０１０を介してＢＳＣ１００６に結合されることができるパケットネットワークの例である。別の実施形態において、ＢＳＣ１００６のＰＤＳＮ１０１０への結合はＭＳＣ１００８を用い達成される。一実施形態において、例えば、Ｅｌ、Ｔ１、非同期転送モード（ＡＴＭ）、ＩＰ、ＰＰＰ、フレームリレー、ＨＤＳＬ、ＡＤＳＬ、またはｘＤＳＬを含むいくつかの知られているプロトコルのうちのいずれかによって音声および／またはデータパケットを伝送するように構成された有線を介してＩＰネットワーク１０１４はＰＤＳＮ１０１０に結合され、ＰＤＳＮ１０１０はＭＳＣ１００８に結合され、ＭＳＣ１００８はＢＳＣ１００６およびＰＳＴＮ１０１２に結合され、ＢＳＣ１００６は基地局１００４ａ〜１００４ｃに結合される。別の実施形態において、ＢＳＣ１００６はＰＤＳＮ１０１０に直接結合され、ＭＳＣ１００８はＰＤＳＮ１０１０に結合されない。一実施形態において、加入者ユニット１００２ａ〜１００２ｄは、ＲＦインターフェースを介して基地局１００４ａ〜１００４ｃと通信する。
【００３７】
加入者ユニット１００２ａ〜１００２ｄは、１つまたは複数の無線パケットデータプロトコルを実行するように構成されることができる。一実施形態において、加入者ユニット１００２ａ〜１００２ｄは、ＩＰネットワーク１０１４に向けたＩＰパケットを生成し、当該ＩＰパケットをポイントツーポイントプロトコル（ＰＰＰ）を使用してフレームへとカプセル化する。加入者ユニット１００２ａ〜１００２ｄは、携帯電話、ＩＰに基づくウェブブラウザアプリケーションを実行するラップトップコンピュータに接続されたセルラ電話、車載ハンズフリーキットを伴うセルラ電話、ＩＰに基づくウェブブラウザアプリケーションを実行する携帯情報端末（ＰＤＡ）、ポータブルコンピュータに組み込まれた無線通信モジュール、または無線ローカルループもしくは検針システムで見ることができるような位置が固定された通信モジュールなどの多くの異なる種類の無線通信デバイスのうちのいずれであってもよい。最も概括的な実施形態において、加入者ユニットは任意の種類の通信ユニットであってよい。
【００３８】
無線通信ネットワーク１０００の典型的な動作の間に、基地局１００４ａ〜１００４ｃは、電話通話、ウェブブラウジング、またはその他のデータ通信を行っている様々な加入者ユニット１００２ａ〜１００２ｄからの逆方向リンク信号の組を受信し、復調する。所与の基地局１００４ａ〜１００４ｃによって受信された各逆方向リンク信号は、その基地局１００４ａ〜１００４ｃ内で処理される。各基地局１００４ａ〜１００４ｃは、順方向リンク信号の組を変調し、加入者ユニット１００２ａ〜１００２ｄへ送信することによって複数の加入者ユニット１００２ａ〜１００２ｄと通信することができる。例えば、図１に示されるように、基地局１００４ａは加入者ユニット１００２ａおよび１００２ｂと同時に通信し、基地局１００４ｃは加入者ユニット１００２ｃおよび１００２ｄと同時に通信する。結果として得られるパケットは、特定の加入者ユニット１００２ａ〜１００２ｄに関する呼のハンドオフ元基地局１００４ａ〜１００４ｃからハンドオフ先基地局１００４ａ〜１００４ｃへのソフトハンドオフの全体的な調整を含むコールリソース（ｃａｌｌ  ｒｅｓｏｕｒｃｅ）割り当ておよび移動度管理機能を提供するＢＳＣ１００６に転送される。最終的に、加入者ユニット１００２ｃが基地局１００４ｃから十分に遠く移動したときに、呼は別の基地局にハンドオフされることになる。加入者ユニット１００２ｃが基地局１００４ｂに十分に近く移動したときに、呼は基地局１００４ｂにハンドオフされることになる。
【００３９】
伝送が従来の電話通話であるとき、ＢＳＣ１００６は受信されたデータを、ＰＳＴＮ１０１２とのインターフェースのための追加的なルーティングサービスを提供するＭＳＣ１００８にルーティングすることになる。伝送がＩＰネットワーク１０１４に向けたデータコールなどのパケットに基づく伝送である場合、ＭＳＣ１００８はデータパケットを、当該パケットをＩＰネットワーク１０１４に送信することになるＰＤＳＮ１０１０にルーティングする。代替として、ＢＳＣ１００６はパケットを、当該パケットをＩＰネットワーク１０１４に送信するＰＤＳＮ１０１０に直接ルーティングする。
【００４０】
システム１０００は、（１）「デュアルモード広帯域スペクトル拡散セルラシステム用ＴＩＮＥＩＡ−９５−Ｂ移動局基地局コンパチビリティ規格（TINEIA-95-B Mobile Station-Base Station Compatibility Standard for Dual-Mode Wideband Spread Spectrum Cellular System）」（ＩＳ−９５規格）、（２）「第３世代パートナーシッププロジェクト」（３ＧＰＰ）と名付けられたコンソーシアムによって提供され、文書番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４を含む１組の文書にまとめられた文書（Ｗ−ＣＤＭＡ規格）、ならびに（３）「第３世代パートナーシッププロジェクト２」（３ＧＰＰ２）と名付けられたコンソーシアムによって提供され、文書番号Ｃ．Ｓ０００２−Ａ、Ｃ．Ｓ０００５−Ａ、Ｃ．Ｓ００１０−Ａ、Ｃ．ＳＯ０１１−Ａ、Ｃ．ＳＯ０２４、Ｃ．ＳＯ０２６、Ｃ．Ｐ９０１１、およびＣ．Ｐ９０１２を含む１組の文書にまとめられた文書（ｃｄｍａ２０００規格）などの１つまたは複数の符号分割多元接続規格をサポートするように設計されることができる。３ＧＰＰおよび３ＧＰＰ２文書の場合、これらは、世界中に広がる標準化団体（例えば、ＴＩＡ、ＥＴＳＩ、ＡＲＩＢ、ＴＴＡ、およびＣＷＴＳ）によって地域規格に変換され、国際電気通信連合（ＩＴＵ）によって国際規格に変換された。これらの標準は参照によって本明細書に組み込まれる。
【００４１】
図１１は、本明細書に記載された様々な実施形態を実施することができる、加入者ユニット１００２および基地局１００４の一実施形態の簡素化されたブロック図である。特定の通信に関して、音声データ、パケットデータ、および／またはメッセージが、加入者ユニット１００２と基地局１００４の間で交換されることができる。基地局１００４と加入者ユニット１００２の間の通信セッションを確立するために使用されるメッセージ、およびデータ伝送を制御するために使用されるメッセージ（例えば、電力制御、データレート情報、肯定応答など）などの様々な種類のメッセージが送信されることができる。
【００４２】
逆方向リンクに関して、加入者ユニット１００２において、（例えば、データソース１２１０からの）音声および／またはパケットデータ、ならびに（例えば、コントローラ１２３０からの）メッセージが、１つまたは複数の符号化スキームを用いてデータおよびメッセージを符号化して符号化されたデータを生成する送信（ＴＸ）データプロセッサ１２１２に供給される。送信データプロセッサ１２１２は、１つまたは複数の符号化スキームを実行するコードジェネレータを含む。通常、コードジェネレータの出力数値はチップと呼ばれる。チップは１桁の２進数値である。したがって、１チップはコードジェネレータの出力の１桁である。
【００４３】
各符号化スキームは、巡回冗長検査（ＣＲＣ;cyclic redundancy check）、畳み込み、ターボ、ブロック、およびその他の符号化の任意の組合せを含んでよく、または符号化を全く含まなくてもよい。概して、音声データ、パケットデータ、およびメッセージは異なるスキームを使用して符号化され、さらに、異なる種類のメッセージは異なるように符号化されることができる。符号化されたデータは次に変調器（ＭＯＤ）１２１４に供給され、さらに処理（例えば、変換、ショートＰＮ系列（short PN sequences）を用いた拡散、およびユーザ端末に割り当てられたロングＰＮ系列（long PN sequence）を用いたスクランブル）される。一実施形態において、符号化されたデータはウォルシュ符号を用いてカバーされ、ロングＰＮ符号を用いて拡散され、ショートＰＮ符号を用いてさらに拡散される。次に、拡散されたデータは、逆方向リンク信号を生成するために送信機ユニット（ＴＭＴＲ）１２１６に供給され、調整（例えば、１つまたは複数のアナログ信号への変換、増幅、フィルタリング、および直交変調）される。送信機ユニット１２１６は、１つまたは複数のアナログ信号を増幅する電力増幅器１３１６を含む。逆方向リンク信号は、デュプレクサ（Ｄ）１２１８を介してルーティングされ、アンテナ１２２０を介して基地局１００４に送信される。
【００４４】
逆方向リンク信号の伝送は、伝送時間と呼ばれる期間に渡って行われる。伝送時間は時間単位に分割される。一実施形態において、伝送時間はフレームに分割されることができる。別の実施形態において、伝送時間はタイムスロットに分割されることができる。タイムスロットは継続時間である。一実施形態によれば、データは、各データパケットが１つまたは複数の時間単位を介して送信されるようにしてデータパケットに分割される。各時間単位において、基地局は、データ伝送を当該基地局と通信している任意の加入者ユニットに導くことができる。一実施形態において、フレームは複数のタイムスロットにさらに分割されることができる。さらに別の実施形態において、タイムスロットはさらに分割されることができる。例えば、タイムスロットは、ハーフスロット（half-slots）およびクォータスロット（quarter-slots）に分割されることができる。
【００４５】
一実施形態において、変調器１２１４は、逆方向リンク信号のピーク対平均電力比を低減するピーク対平均低減モジュールを含む。変調器１２１４内で、ピーク対平均低減モジュールは、拡散されたデータがフィルタリングされた後に配置される。別の実施形態において、ピーク対平均低減モジュールは、送信機１２１６内に配置される。さらに別の実施形態において、ピーク対平均低減モジュールは、変調器１２１４と送信機１２１６の間に配置される。
【００４６】
基地局１００４において、逆方向リンク信号は、アンテナ１２５０によって受信され、デュプレクサ１２５２を介してルーティングされ、受信された信号を調整（例えば、フィルタリング、増幅、ダウンコンバート、およびディジタル化）し、サンプルを提供する受信機ユニット（ＲＣＶＲ）２５４に供給される。復調器（ＤＥＭＯＤ）１２５６はサンプルを受信および処理（例えば、逆拡散、デカバー、およびパイロット復調）して、復元されたシンボルを提供する。復調器１２５６は、受信された信号の複数のインスタンスを処理し、合成されたシンボルを生成するＲＡＫＥ受信機を実現することができる。次に、受信（ＲＸ）データプロセッサ１２５８がシンボルを復号化して、逆方向リンク上で送信されたデータおよびメッセージを復元する。復元された音声／パケットデータはデータ受信装置１２６０に供給され、復元されたメッセージはコントローラ１２７０に供給されることができる。復調器１２５６およびＲＸデータプロセッサ１２５８による処理は、加入者ユニット１００２において実行された処理と相補的である。復調器１２５６およびＲＸデータプロセッサ１２５８は、複数のチャネル、例えば、逆方向基本チャネル（reverse fundamental channel）（Ｒ−ＦＣＨ）および逆方向補助チャネル（reverse supplemental channel）（Ｒ−ＳＣＨ）を介して受信された複数の伝送を処理するためにさらに動作させられることができる。さらに、伝送は、それらの加入者ユニットのそれぞれが逆方向基本チャネル、逆方向補助チャネル、またはそれらの両方で送信を行っている可能性がある複数の加入者ユニット１００２から同時に受信されることができる。
【００４７】
順方向リンク上で、基地局１００４において、順方向リンク信号を生成するために、（例えば、データソース１２６２からの）音声および／またはパケットデータ、ならびに（例えば、コントローラ１２７０からの）メッセージが、送信（ＴＸ）データプロセッサ１２６４によって処理（例えば、フォーマットおよび符号化）され、変調器（ＭＯＤ）１２６６によってさらに処理（例えば、カバーおよび拡散）され、送信機ユニット（ＴＭＴＲ）１２６８によって調整（例えば、アナログ信号への変換、増幅、フィルタリング、および直交変調）される。順方向リンク信号は、デュプレクサ（Ｄ）１２５２を介してルーティングされ、アンテナ１２５０を介して加入者ユニット１００２に送信される。
【００４８】
加入者ユニット１００２において、順方向リンク信号は、アンテナ１２２０によって受信され、デュプレクサ‘２１８を介してルーティングされ、受信機ユニット‘２２２に供給される。受信機ユニット１２２２は、受信された信号を調整（例えば、ダウンコンバート、フィルタリング、増幅、直交復調、およびディジタル化）し、サンプルを提供する。サンプルはシンボルを生成するために復調器１２２４によって処理（例えば、逆拡散、デカバー、およびパイロット復調）され、シンボルは順方向リンク上で送信されたデータおよびメッセージを復元するために受信データプロセッサ１２２６によってさらに処理（例えば、復号化および検査）される。復元されたデータはデータ受信装置１２２８に供給され、復元されたメッセージはコントローラ１２３０に供給されることができる。
【００４９】
上述された内容は例示的実施形態を含む。言うまでもなく、実施形態を説明する目的でコンポーネントまたは方法論のあらゆる考え得る組合せを説明することは不可能であるが、当業者は多くの別の組合せおよび変更が可能であることを認識するであろう。したがって、これらの実施形態は、添付の特許請求の範囲の精神および範囲内にある全てのそのような改変、修正、および変更を包含するように意図される。さらに、用語「含む（includes）」が発明を実施するための最良の形態、または特許請求の範囲のいずれかで使用される限りにおいて、かかる用語は、請求項で移行語（transitional word）として使用される場合に「含む（comprising）」が解釈されるように、用語「含む（comprising）」と同様にして包括的であるように意図される。
【図面の簡単な説明】
【００５０】
【図１】経路アナライザおよびしきい値コンポーネントによってチャネルのサブセットを選択するためのシステムを示す概略的なブロック図である。
【図２】経路測定コンポーネントを有する受信機を示す概略的なブロック図である。
【図３】経路の重要度を判定するためのチャネル利得推定器を示す概略的なブロック図である。
【図４】複数の解析された経路の重要度からチャネルのサブセットを選択するためのしきい値コンポーネントを示す概略的なブロック図である。
【図５】チャネルのサブセットを選択するためのしきい値処理オプションを示すブロック図である。
【図６】チャネルのサブセットを選択するための経路解析およびしきい値処理プロセスを示す流れ図である。
【図７】チャネルのサブセットを選択するための動的な選択プロセスを示す流れ図である。
【図８】通信性能を調整および制御するためのユーザインターフェース例を示す図である。
【図９】信号処理コンポーネントを使用するためのシステム例を示す図である。
【図１０】信号処理コンポーネントと共に使用されることができる例示的な無線通信システムを示す図である。
【図１１】信号処理コンポーネントと共に使用されることができる例示的な無線通信システムを示す図である。
【図１】
2008533932.tif 000003
【図２】
2008533932.tif 000004
【図３】
2008533932.tif 000005
【図４】
2008533932.tif 000006
【図５】
2008533932.tif 000007
【図６】
2008533932.tif 000008
【図７】
2008533932.tif 000009
【図８】
2008533932.tif 000010
【図９】
2008533932.tif 000011
【図１０】
2008533932.tif 000012
【図１１】
2008533932.tif 000013
【国際調査報告】
2008533932.tif 000014
2008533932.tif 000015